(57)【要約】      （修正有）【課題】移動電子装置の空間的位置付けに応じた、可聴信号または触覚信号の出力により、場所への方向を通知する移動電子装置およびその方法である。【解決手段】一実施形態に係る移動電子装置１００は、入出力システム２０、ナビゲーションシステム３０、これら入出力システムおよびナビゲーションシステムを動作可能とするように接続されたプロセッサ１０を備える。プロセッサの制御の下、入出力システムは、ナビゲーションシステムを用いて決定した装置位置情報に基づき選択した、可聴方向指示信号および触覚方向指示信号の少なくとも１つを出力する。【選択図】図２
2008145418.tif 000002
【特許請求の範囲】
【請求項１】
ユーザにより携行され移動する移動電子装置であって、
現時点における当該移動電子装置の方位と、目標に対する方位との差を通知するための、聴覚で感知できる信号である可聴方向指示信号および、触覚で感知できる信号である触覚方向指示信号のうちの少なくとも１つを出力する入出力システムと、
当該移動電子装置と、目標とする場所との配置関係を規定する情報である位置確認情報を決定するナビゲーションシステムと、
これら入出力システムおよびナビゲーションシステムを動作可能とするように接続されたプロセッサとを備え、
上記プロセッサが、上記ナビゲーションシステムを用いて決定した、当該移動電子装置の位置確認情報に基づき選択した、上記可聴方向指示信号および触覚方向指示信号の少なくとも１つを出力するように入出力システムを制御することを特徴とする移動電子装置。
【請求項２】
上記ナビゲーションシステムは、上記位置確認情報の変化を継続的に監視しており、
上記プロセッサは、上記位置確認情報の変化に基づき、上記可聴方向指示信号および触覚方向指示信号のうちの少なくとも１つを選択して修正するように上記ナビゲーションシステムを制御するとともに、
上記ナビゲーションシステムを用いて決定した、上記変化後の上記位置確認情報に基づき選択された、修正された可聴方向指示信号および触覚方向指示信号のうちの少なくとも１つを出力するように、上記入出力システムを制御することを特徴とする請求項１に記載の移動電子装置。
【請求項３】
上記ナビゲーションシステムが、現時点での当該移動電子装置の方位を算出するコンパスと、現時点での当該移動電子装置の、地理上の位置を規定する情報である位置情報を算出するためのＧＰＳシステムとを有し、
上記入出力システムが目標とする場所の、場所を識別する情報である場所情報を受付けており、
上記位置確認情報は、上記コンパスを使用して決定した当該移動電子装置の現時点での方位と、上記ＧＰＳシステムにより算出された当該移動電子装置が存在する現時点での位置情報、および上記受付けた目標とする場所の場所情報に基づき決定した、当該移動電子装置の目標に対する方位とを含むことを特徴とする請求項１または２に記載の移動電子装置。
【請求項４】
上記プロセッサは、上記入出力システムにより受付けた、目標とする場所の場所情報を、目標とする場所の位置情報に変換させるとともに、当該移動電子装置の目標に対する方位を、該目標とする場所の位置情報に基づき決定するようにナビゲーションシステムを制御することを特徴とする請求項３に記載の移動電子装置。
【請求項５】
上記場所情報と、該場所情報によって識別された場所の位置情報との対応関係を記憶する場所情報格納部をさらに備え、
上記プロセッサは、上記目標とする場所の場所情報を、この場所情報格納部を参照することにより、目標とする場所の位置情報に変換するようにナビゲーションシステムを制御することを特徴とする請求項４に記載の移動電子装置。
【請求項６】
上記場所情報と、該場所情報によって識別された場所の位置情報との対応関係を記憶する遠隔場所情報サーバ・データベースと通信可能に接続されており、
上記プロセッサは、上記目標とする場所の場所情報を、この遠隔場所情報サーバ・データベースを参照することにより、目標とする場所の位置情報に変換するようにナビゲーションシステムを制御することを特徴とする請求項４に記載の移動電子装置。
【請求項７】
上記可聴方向指示信号は、音を含むことを特徴とする請求項１に記載の移動電子装置。
【請求項８】
上記可聴方向指示信号は、周波数スイープ信号を含むことを特徴とする請求項１に記載の移動電子装置。
【請求項９】
上記触覚方向指示信号は、振動を含むことを特徴とする請求項１に記載の移動電子装置。
【請求項１０】
上記プロセッサが、上記ナビゲーションシステムを用いて決定した当該移動電子装置の位置確認情報に基づき選択した、上記可聴方向指示信号および触覚方向指示信号を同時に出力するように入出力システムを制御することを特徴とする請求項１に記載の移動電子装置。
【請求項１１】
当該移動電子装置のユーザに、場所に対する方向を通知する移動電子装置の制御方法であって、
上記移動電子装置における入力として目標とする場所を識別するための情報である場所情報を受付ける第１ステップと、
現時点での上記移動電子装置の、地理上の位置を規定する情報である位置情報を算出する第２ステップと、
上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、
現時点での移動電子装置の方位を決定する第４ステップと、
上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、聴覚で感知できる信号である可聴方向指示信号を決定する第５ステップと、
上記移動電子装置から、上記第５ステップにおいて決定した上記可聴方向指示信号を出力する第６ステップとを含むことを特徴とする方法。
【請求項１２】
上記第４ステップにおいて、上記移動電子装置の現時点での方位を継続的に決定するとともに、上記第５ステップにおいて、上記可聴方向指示信号が、この移動電子装置の現時点での方位における変化に応じて絶えず修正されることを特徴とする請求項１１に記載の方法。
【請求項１３】
上記第４ステップでは、上記移動電子装置の現時点での方位が、フラックスゲートコンパスを用いて決定されることを特徴とする請求項１１に記載の方法。
【請求項１４】
上記第３ステップでは、上記移動電子装置の目標に対する方位が、現時点での当該移動電子装置の、地理上の位置を規定する情報である位置情報を算出するためのＧＰＳシステムを用いて決定されることを特徴とする請求項１１に記載の方法。
【請求項１５】
上記可聴方向指示信号は、音を含むことを特徴とする請求項１１に記載の方法。
【請求項１６】
上記可聴方向指示信号は、周波数スイープ信号を含むことを特徴とする請求項１１に記載の方法。
【請求項１７】
当該移動電子装置のユーザに、場所に対する方向を通知する移動電子装置の制御方法であって、
上記移動電子装置における入力として目標とする場所を識別するための情報である場所情報を受信する第１ステップと、
現時点での上記移動電子装置の、地理上の位置を規定する情報である位置情報を算出する第２ステップと、
上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、
現時点での移動電子装置の方位を決定する第４ステップと、
上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、触覚で感知できる信号である触覚方向指示信号を決定する第５ステップと、
上記移動電子装置から、上記第５ステップにおいて決定した上記触覚方向指示信号を出力する第６ステップとを含むことを特徴とする方法。
【請求項１８】
上記第４ステップにおいて、上記移動電子装置の現時点での方位を継続的に決定するとともに、上記第５ステップにおいて、上記触覚方向指示信号が、この移動電子装置の現時点での方位における変化に応じて絶えず修正されることを特徴とする請求項１７に記載の方法。
【請求項１９】
上記触覚方向指示信号は、振動を含むことを特徴とする請求項１７に記載の方法。
【発明の詳細な説明】
【技術分野】
【０００１】
本発明は、移動電子装置用のナビゲーションシステムに関するものである。特には、本発明は、方向を通知する表示マップにより場所を示す必要がない、移動電子装置用のナビゲーションシステムにおける移動電子装置に関する。
【背景技術】
【０００２】
従来から、ユーザが存在する現在地と、所望の場所に対する方向とを示したマップを表示するナビゲーションシステムを実装した携帯電話、携帯情報端末（ＰＤＡ）、およびポケットピーシー（pocket PC)などの移動電子装置が知られている。例えば、これら公知の移動電子装置は、ユーザの場所を示す「Ｘ」と、ユーザの場所から所望の場所までの地図上の方向を示す矢印とを表示する全地球測位システム（ＧＰＳ）を備えている。
【特許文献１】米国特許第３７３６５５１号明細書（１９７３年５月２９日発行））
【特許文献２】米国特許第３７８６５７１号明細書（１９７４年１月２２日発行））
【特許文献３】米国特許第３９０２６８７号明細書（１９７５年９月２日発行）
【特許文献４】米国特許第４４８４１９１号明細書（１９８４年１１月２０日発行）
【特許文献５】米国特許第５３３４９８７号明細書（１９９４年８月２日発行）
【特許文献６】米国特許第５４４６４６５号明細書（１９９５年８月２９日発行）
【特許文献７】米国特許第５８８３８６１号明細書（１９９９年３月１６日発行）
【特許文献８】米国特許第６３２０４９６号明細書（２００１年１１月２０日発行）
【特許文献９】米国特許出願公開第２００４／００３０４９４号明細書（２００４年２月１２日公開）
【特許文献１０】米国特許出願公開第２００３／００１６１４４号明細書（２００３年１月２３日公開）
【特許文献１１】米国特許出願公開第２００５／００６２６０４号明細書（２００５年３月２４日公開）
【発明の開示】
【発明が解決しようとする課題】
【０００３】
しかしながら、上記従来のナビゲーションシステムは、ユーザに対して効果的に方向を提示する一方で、概して複雑なソフトウェアと、高解像度の表示装置と、大容量のメモリとを必要とする。さらにまた、このようなナビゲーションシステムでは、概して、マップを最新状態としておくために、定期的なソフトウェアのアップデートが必要となる。
【０００４】
すなわち、上記従来の構成では、ユーザに対して効果的に目的までの方向を提示するための表示を実現するために、複雑なソフトウェアと、高解像度の表示装置と、大容量のメモリとを必要とするという問題がある。
【０００５】
本発明は、上記の問題点に鑑みてなされたものであり、その目的は、高解像度の表示装置、および大容量のメモリを備える必要がなく、目標までの方向を効果的に通知する移動電子装置を実現することにある。
【課題を解決するための手段】
【０００６】
本発明に係る移動電子装置は、上記課題を解決するために、ユーザにより携行され移動する移動電子装置であって、現時点における当該移動電子装置の方位と、目標に対する方位との差を通知するための、聴覚で感知できる信号である可聴方向指示信号および、触覚で感知できる信号である触覚方向指示信号のうちの少なくとも１つを出力する入出力システムと、当該移動電子装置と、目標とする場所との配置関係を規定する情報である位置確認情報を決定するナビゲーションシステムと、これら入出力システムおよびナビゲーションシステムを動作可能とするように接続されたプロセッサとを備え、上記プロセッサが、上記ナビゲーションシステムを用いて決定した、当該移動電子装置の位置確認情報に基づき選択した、上記可聴方向指示信号および触覚方向指示信号の少なくとも１つを出力するように入出力システムを制御することを特徴とする。
【０００７】
上記の構成によれば、ナビゲーションシステムを備えているため、上記移動電子装置は、位置確認情報を決定し当該移動電子装置と目標とする場所との配置関係を把握することができる。また、入出力システムを備えているため、上記可聴方向指示信号や上記触覚方向指示信号など、聴覚や蝕覚で感知できる、ユーザの視覚に依存しない形式の信号を出力することができる。また、プロセッサを備えるため、ナビゲーションシステムによって決定された位置確認情報に基づき、目的とする場所への方向を可聴方向指示信号または触覚方向指示信号の出力により通知することができる。
【０００８】
このように、本発明に係る移動電子装置は、目標とする場所まで当該移動電子装置のユーザを案内するために、従来のように表示を行う必要がない。
【０００９】
したがって、本発明に係る移動電子装置は、高解像度の表示装置、および大容量のメモリを備える必要がなく、目標までの方向を効果的に通知することができるという効果を奏する。
【００１０】
本発明に係る移動電子装置の制御方法は、上記した課題を解決するために、当該移動電子装置のユーザに、場所に対する方向を通知する方法であって、上記移動電子装置における入力として目標とする場所を識別するための情報である場所情報を受付ける第１ステップと、現時点での上記移動電子装置の、地理上の位置を規定する情報である位置情報を算出する第２ステップと、上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、現時点での移動電子装置の方位を決定する第４ステップと、上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、聴覚で感知できる信号である可聴方向指示信号を決定する第５ステップと、上記移動電子装置から、上記第５ステップにおいて決定した上記可聴方向指示信号を出力する第６ステップとを含むことを特徴とする。
【００１１】
上記方法によれば、第１ステップを含むため、本発明に係る移動電子装置は、目的とする場所の場所情報を取得することができる。また、第２ステップを含むため、現時点での移動電子装置の位置情報も取得することができる。このように第１ステップおよび第２ステップにより、目的とする場所の場所情報と、現時点での移動電子装置の位置情報とを取得することができるため、これらの情報から第３ステップにおいて、上記移動電子装置の目標に対する方位を決定することができる。
【００１２】
また、移動電子装置の制御方法では、第４ステップを含むため、上記移動電子装置の現時点での方位についての情報も決定することができる。このように第３ステップおよび第４ステップにて移動電子装置の目標に対する方位と、該移動電子装置の現時点での方位とを取得することができるため、本発明に係る移動電子装置の制御方法では、移動電子装置が、目標に対する方位と、現時点での方位との差を把握することができる。
【００１３】
また、上記第５ステップおよび第６ステップを含むため、上記移動電子装置は、目標に対する方位と、現時点での方位との差に基づき決定された可聴方向指示信号を出力することができる。
【００１４】
したがって、本発明に係る移動電子装置の制御方法では、目標とする場所までの方位を、ユーザの聴覚に対する刺激により通知し、この目標とする場所まで、移動電子装置のユーザを案内することができる。
【００１５】
このために、従来のように、ユーザを目標とする場所まで案内するために表示を行う必要がなく、それ故、本発明に係る移動電子装置の制御方法では、移動電子装置が高解像度の表示装置、および大容量のメモリを備える必要がなく、目標までの方向を効果的に通知することができるという効果を奏する。
【００１６】
本発明に係る移動電子装置の制御方法は、上記した課題を解決するために、当該移動電子装置のユーザに、場所に対する方向を通知する移動電子装置の制御方法であって、上記移動電子装置における入力として目標とする場所を識別するための情報である場所情報を受信する第１ステップと、現時点での上記移動電子装置の、地理上の位置を規定する情報である位置情報を算出する第２ステップと、上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、現時点での移動電子装置の方位を決定する第４ステップと、上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、触覚で感知できる信号である触覚方向指示信号を決定する第５ステップと、上記移動電子装置から、上記第５ステップにおいて決定した上記触覚方向指示信号を出力する第６ステップとを含むことを特徴とする。
【００１７】
上記方法によれば、第１ステップを含むため、本発明に係る移動電子装置は、目的とする場所の場所情報を取得することができる。また、第２ステップを含むため、現時点での移動電子装置の位置情報も取得することができる。このように第１ステップおよび第２ステップにより、目的とする場所の場所情報と、現時点での移動電子装置の位置情報とを取得することができるため、これらの情報から第３ステップにおいて、上記移動電子装置の目標に対する方位を決定することができる。
【００１８】
また、移動電子装置の制御方法では、第４ステップを含むため、上記移動電子装置の現時点での方位についての情報も決定することができる。このように第３ステップおよび第４ステップにて移動電子装置の目標に対する方位と、該移動電子装置の現時点での方位とを取得することができるため、本発明に係る移動電子装置の制御方法では、移動電子装置が、目標に対する方位と、現時点での方位との差を把握することができる。
【００１９】
また、上記第５ステップおよび第６ステップを含むため、上記移動電子装置は、目標に対する方位と、現時点での方位との差に基づき決定された触覚方向指示信号を出力することができる。
【００２０】
したがって、本発明に係る移動電子装置の制御方法では、目標とする場所までの方位を、ユーザの触覚に対する刺激により通知し、この目標とする場所まで、移動電子装置のユーザを案内することができる。
【００２１】
このために、従来のように、ユーザを目標とする場所まで案内するために表示を行う必要がなく、それ故、本発明に係る移動電子装置の制御方法では、移動電子装置が高解像度の表示装置、および大容量のメモリを備える必要がなく、目標までの方向を効果的に通知することができるという効果を奏する。
【発明の効果】
【００２２】
本発明に係る移動電子装置は、以上のように、ユーザにより携行され移動する移動電子装置であって、現時点における当該移動電子装置の方位と、目標に対する方位との差を通知するための、聴覚で感知できる信号である可聴方向指示信号および、触覚で感知できる信号である触覚方向指示信号のうちの少なくとも１つを出力する入出力システムと、当該移動電子装置と、目標とする場所との配置関係を規定する情報である位置確認情報を決定するナビゲーションシステムと、これら入出力システムおよびナビゲーションシステムを動作可能とするように接続されたプロセッサとを備え、上記プロセッサが、上記ナビゲーションシステムを用いて決定した、当該移動電子装置の位置確認情報に基づき選択した、上記可聴方向指示信号および触覚方向指示信号の少なくとも１つを出力するように入出力システムを制御することを特徴とする。
【００２３】
したがって、本発明に係る移動電子装置は、高解像度の表示装置、および大容量のメモリを備える必要がなく、目標までの方向を効果的に通知することができるという効果を奏する。
【００２４】
本発明に係る移動電子装置の制御方法は、以上のように、当該移動電子装置のユーザに、場所に対する方向を通知する方法であって、上記移動電子装置における入力として目標とする場所を識別するための情報である場所情報を受付ける第１ステップと、現時点での上記移動電子装置の、地理上の位置を規定する情報である位置情報を算出する第２ステップと、上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、現時点での移動電子装置の方位を決定する第４ステップと、上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、聴覚で感知できる信号である可聴方向指示信号を決定する第５ステップと、上記移動電子装置から、上記第５ステップにおいて決定した上記可聴方向指示信号を出力する第６ステップとを含むことを特徴とする。
【００２５】
このために、従来のように、ユーザを目標とする場所まで案内するために表示を行う必要がなく、それ故、本発明に係る移動電子装置の制御方法では、移動電子装置が高解像度の表示装置、および大容量のメモリを備える必要がなく、目標までの方向を効果的に通知することができるという効果を奏する。
【００２６】
本発明に係る移動電子装置の制御方法は、以上のように、当該移動電子装置のユーザに、場所に対する方向を通知する移動電子装置の制御方法であって、上記移動電子装置における入力として目標とする場所を識別するための情報である場所情報を受信する第１ステップと、現時点での上記移動電子装置の、地理上の位置を規定する情報である位置情報を算出する第２ステップと、上記第１ステップにおいて受付けた、この目標とする場所の場所情報と、上記第２ステップにおいて算出した、現時点での上記移動電子装置の位置情報とに基づき、上記移動電子装置の目標に対する方位を決定する第３ステップと、現時点での移動電子装置の方位を決定する第４ステップと、上記第４ステップにおいて決定した上記移動電子装置の現時点での方位と、上記第３ステップにおいて決定した目標に対する方位とに基づき、現時点における当該移動電子装置の方位と、目標に対する方位との差を通知するための、触覚で感知できる信号である触覚方向指示信号を決定する第５ステップと、上記移動電子装置から、上記第５ステップにおいて決定した上記触覚方向指示信号を出力する第６ステップとを含むことを特徴とする。
【００２７】
このために、従来のように、ユーザを目標とする場所まで案内するために表示を行う必要がなく、それ故、本発明に係る移動電子装置の制御方法では、移動電子装置が高解像度の表示装置、および大容量のメモリを備える必要がなく、目標までの方向を効果的に通知することができるという効果を奏する。
【発明を実施するための最良の形態】
【００２８】
本発明に係る実施形態および他の実施形態は、以下に概略的に説明する図面とともに行う、詳細な説明を参照することでよりよく理解できよう。また、もちろん本発明の特徴については、添付した特許請求の範囲に示されている。
【００２９】
本発明に係る一実施形態では、移動電子装置１００は、現時点での移動電子装置１００の方位と、該移動電子装置１００の目標に対する方位との間における角度差に基づき、可聴方向指示信号および触覚方向指示信号のうちの少なくとも１つを出力することによって、当該移動電子装置１００のユーザを目標とする場所まで案内する。なお、可聴方向指示信号とは現時点における当該移動電子装置１００の方位と、目標に対する方位との差を通知するための聴覚で感知できる信号である。一方、触覚方向指示信号とは現時点における当該移動電子装置１００の方位と、目標に対する方位との差を通知するための、触覚で感知できる信号である。図１では、現時点での移動電子装置１００の方位ＡＤＢと、移動電子装置１００の目標に対する方位ＴＤＢとから角度差αがどのくらいであるか算出することを示す。移動電子装置１００は、現時点での該移動電子装置１００の方位ＡＤＢを、この移動電子装置１００の長手方向軸（縦軸）上に該移動電子装置１００から延ばした第１仮想線から、この移動電子装置１００を真北に延ばした第２仮想線までを、時計周りに測定した水平方向の角距離として求める。また、移動電子装置１００は、上記移動電子装置１００の目標に対する方位ＴＤＢを、この移動電子装置１００と目標とする位置３００とを結んだ第１仮想線から、この移動電子装置１００を真北に延ばした第２仮想線までを、時計回りに測定した水平方向の角距離として求める。そして、移動電子装置１００は、現時点での移動電子装置１００の方位ＡＤＢと、移動電子装置１００の目標に対する方位ＴＤＢとの間における角度差αを算出する。そして、上記角度差αを示す作用として、適切な可聴出力（可聴方向指示信号の出力）、および蝕覚出力（触角方向指示信号の出力）のうちの少なくとも１つを選択する。
【００３０】
図２を参照すると、この図では移動電子装置１００の構成がより詳細に示されている。この移動電子装置１００は、例えば、携帯電話、インターネットプロトコル（ＩＰ）電話、ＰＤＡ、またはポケットＰＣであってもよい。移動電子装置１００は、入出力（Ｉ／Ｏ）システム２０と、ナビゲーションシステム３０とに通信可能に接続されたプロセッサ１０を備えている。このプロセッサ１０は、ソフトウェアを実行するためのオペレーティングシステムを実装した汎用のマイクロプロセッサである。このプロセッサ１０は、ソフトウェアアプリケーションを実行したり、入出力システム２０およびナビゲーションシステム３０の構成要素間における相互関係を管理したりする。つまり、プロセッサ１０は、入出力システム２０が備える各部、ならびにナビゲーションシステム３０が備える各部それぞれの各種制御を行う。
【００３１】
入出力システム２０は、スピーカ２１、表示部２２、キーパッド２３、およびバイブレータ２４を備えてなる構成である。スピーカ２１は、ステレオの出力信号を含む、様々な音および音量で、移動電子装置１００から音出力信号（可聴方向指示信号）を出力させるための左スピーカおよび右スピーカを備える。表示部２２は、ＬＣＤ（liquid crystal display）スクリーンなどによって実現でき、キーパッド２３にて受付けた入力を視覚的に示したり、移動電子装置１００からの出力を視覚的に示したりする。キーパッド２３は、移動電子装置１００におけるユーザからの入力を受付けるためのキーを備えている。この移動電子装置１００における入力としては、人気スポットの名前および所在地住所など、目標とする場所を示す情報を含んでいる。なお、移動電子装置１００では、キーパッド２３により受付けた目標とする場所を示す情報は、プロセッサ１０を介してナビゲーションシステム３０に出力される。また、いくつかの実施形態では、上記キーパッド２３は、ソフトキーを補助的に備えた、１２のキーを有する電話のキーパッドである。バイブレータ２４は、様々な強度の振動形態で、移動電子装置１００から触覚出力信号を出力する電気機械装置である。
【００３２】
ナビゲーションシステム３０は、ＧＰＳ受信部３１、ナビゲーションクライアント部３２、場所情報格納部（location cache)３３、およびコンパス３４を備えてなる構成である。また、ナビゲーションシステム３０は、ＧＰＳ衛星１５０と無線により通信可能となっている。そして、本実施の形態に係る移動電子装置１００では、このＧＰＳ衛星１５０と上記ＧＰＳ受信部３１とによって本発明のＧＰＳシステムを実現する。
さらには、移動電子装置１００の外部に後述する場所サーバ・データベース（遠隔場所サーバ・データベース）１６０が設けられており、このナビゲーションシステム３０は、無線によりこの場所サーバ・データベース１６０と通信できるようになっている。上記ＧＰＳ受信部３１は、ＧＰＳ衛星１５０から絶えず、位置情報を受信し、それに基づき、移動電子装置１００の現時点での位置を演算する。この現時点での位置を示す情報には、経度および緯度の座標が含まれる。なお、この現時点での位置の情報は、ＧＰＳ受信部３１により算出されると、該ＧＰＳ受信部３１からナビゲーションクライアント部３２に送信される。
【００３３】
上記場所情報格納部３３は、移動電子装置１００におけるデータベースであり、選択した目標とする場所を特定する情報（場所情報）と目標とする場所の地理上の位置を規定する情報（位置情報）との間におけるマッピングを記憶する。場所サーバ・データベース１６０は、上記場所情報格納部３３にて記憶されていない、目標とする場所情報と、目標とする位置情報との間でのマッピングをも記憶する遠隔サーバ・データベースである。つまり、場所サーバ・データベース１６０には、場所情報格納部３３よりも広範囲にわたり、詳細かつ最新の場所情報と位置情報との対応関係が記憶されている。上記目標とする場所情報には、人気スポット名や所在地住所が含まれている。また、目標とする位置情報には、目標とする場所に関する経度および緯度座標が含まれている。いくつかの実施形態では、このマッピングは、キーパッド２３からの入力により、場所情報格納部３３において固定的なものとして作成されてもよい。また、いくつかの実施形態では、このマッピングは、固定的なものとして作成される代わりに、もしくは固定的なものとして作成された上に、場所サーバ・データベース１６０を用いることによって、目標とする場所情報を目標とする位置情報に置き換え、場所情報格納部３３にて、ナビゲーションクライアント部３２によって動的に作成されてもよい。そのようにすれば、同様の、目標とする場所が２度目に入力された際は、場所サーバ・データベース１６０を用いることなく、場所情報格納部３３だけを参照することにより、目標とする場所情報を、目標とする位置情報に置き換えることができる。また、いくつかの実施形態では、所定期間経過後に場所情報格納部３３に関するタイムアウトのマッピングを動的に作成してもよい。なお、この場所情報格納部３３は、ランダム・アクセス・メモリ（ＲＡＭ）によって実現することができる。
【００３４】
さらにまた、いくつかの実施形態では、移動電子装置１００において、ユーザが、キーパッド２３からの入力により、現在地を示す場所名または所在地住所を通知したり、この名前または住所と、ＧＰＳ受信部３１から受信した現時点での位置情報との間のマッピングを場所情報格納部３３に作成するように、ナビゲーションクライアント部３２に指示したりすることができる構成であってもよい。このように構成する場合、ユーザが現在地に戻ることを所望する場合、現在地を示す場所名または所在地住所（現時点での場所情報）と、現時点での位置情報との間のマッピングは、後の使用のために、固有に格納することとなる。
【００３５】
上記コンパス３４は、図１を参照して上述したように、現時点での移動電子装置１００の方位を、継続的に算出するフラックス・ゲート・コンパスである。このコンパス３４は、算出した、現時点での移動電子装置１００の方位を、ナビゲーションクライアント部３２に送信する。
【００３６】
ナビゲーションクライアント部３２は、キーパッド２３で受付けた、目標とする場所情報の入力を、上記プロセッサ１０を介して受信し、該プロセッサ１０からの制御指示に応じて、この目標とする場所情報を目標とする位置情報に変換するように、１以上の場所情報格納部３３および場所サーバ・データベース１６０とのインターフェースをとるものである。ナビゲーションクライアント部３２は、まず、目標とする場所情報が、場所情報格納部３３において目標とする位置情報とマッピングされているか否か確認する。ここでマッピングされていると確認した場合、ナビゲーションクライアント部３２は、そのマッピングを用いて、目標とする場所情報を目標とする位置情報に変換する。一方、ここでマッピングされていないと確認した場合、ナビゲーションクライアント部３２は、場所サーバ・データベース１６０において、目標とする場所情報のマッピングを調べ、目標の場所情報を目標の位置情報に変換する。
【００３７】
また、ナビゲーションクライアント部３２は、プロセッサ１０からの制御指示に応じて、ＧＰＳ受信部３１から、本実施の形態に係る移動電子装置１００の現時点での位置情報を受信する。また、ナビゲーションクライアント部３２は、図１を参照して上述したように、プロセッサ１０からの制御指示に応じて、移動電子装置１００の現時点での位置情報と目標とする位置情報とから、低俗的に、目標に対する移動電子装置１００の方位を決定する。
【００３８】
また、ナビゲーションクライアント部３２は、プロセッサ１０からの制御指示に応じて、コンパス３４から上記現時点での移動電子装置１００の方位を受信する。ナビゲーションクライアント部３２は、現時点での移動電子装置１００の方位と、移動電子装置１００の目的に対する方位との間における角度差を、継続的に決定している。そして、ナビゲーションクライアント部３２は、この角度差に基づき、適切な可聴方向指示信号および触覚方向指示信号のうちの少なくとも１つを、継続的に選択している。また、このナビゲーションクライアント部３２は、角度差に関する作用として、適切な可聴方向指示信号および触覚方向指示信号のうちの少なくとも１つを選択するためのアルゴリズムを実装している。
【００３９】
図３は、本発明に係るいくつかの実施形態において、目標に対する移動電子装置１００の方位に一致するように、回転軸を中心にどのように移動電子装置１００を回転するかについて示す。つまり、ユーザは、水平となる位置に移動電子装置１００を保持し、現時点での移動電子装置１００の方位を変更させるように、時計回りまたは反時計回りにこの移動電子装置１００を回転させる。この回転により、現時点での移動電子装置１００の方位と、目標に対する移動電子装置１００の方位との間の角度差が変化し、それにより、移動電子装置１００から出力される可聴方向指示信号および触覚方向指示信号のうちの少なくとも１つに変化が生じる。この可聴方向指示信号および触覚方向指示信号のうちの少なくとも１つにおいて生じる変化により、ユーザに対して、現時点での移動電子装置１００の方位が、目標に対する移動電子装置１００の方位に近づいているか、もしくは離れているか、すなわち、現時点での移動電子装置１００の方位と目標に対する移動電子装置１００の方位との間の角度差が減少しているのか、あるいは増加しているのかについて知らせる。また、この可聴方向指示信号および触覚方向指示信号のうちの少なくとも１つにおいて生じる変化によって、目標に対する移動電子装置１００の方位と一致したこと、すなわち、上記角度差がゼロもしくは略ゼロとなったことをユーザに知らせる。
【００４０】
また、その一実施形態では、現時点での移動電子装置１００の方位が、目標に対する移動電子装置１００の方位と一致するように近づいた場合、可聴方向指示信号が大きくなり、現時点での移動電子装置１００の方位が、目標に対する移動電子装置１００の方位から離れた場合、可聴方向指示信号は和らぐ、すなわち小さくなる。そのような実施形態では、スピーカ２１は、ナビゲーションクライアント部３２によってなされたアルゴリズムの演算に基づき、様々な音量で音を出力できる構成を有している。つまり、スピーカ２１は、移動電子装置１００を、目標に対する移動電子装置１００の方位に向かって最小の角距離だけ時計回りに回転させたことをユーザに通知するように、移動電子装置１００を時計回りに回転させると、徐々に音が大きくなるように音をたてる。一方、スピーカ２１は、反時計回りに移動電子装置１００を回転させると、徐々に和らぐように音をたてる。同様にして、スピーカ２１は、移動電子装置１００を、目標に対する移動電子装置１００の方位に向かって、最小の角距離だけ反時計周りに回転させたことをユーザに通知するように構成されていてもよい。このように構成される場合、スピーカ２１は、移動電子装置１００を反時計回りに回転させると、徐々に音が大きくなるように音をたて、時計回りに移動電子装置１００を回転させると、徐々に和らぐように音をたてる。
【００４１】
また、別の一実施形態では、上記触覚方向指示信号は、現時点での移動電子装置１００の方位が目標に対する移動電子装置１００の方位と一致するよう近づいた場合、強度が増し、現時点での移動電子装置１００の方位が、目標に対する移動電子装置１００の方位から離れる場合、強度が低減する振動である。そのような実施形態では、バイブレータ２４は、ナビゲーションクライアント部３２によってなされたアルゴリズムの演算に基づき、様々な強度の振動を出力できる。つまり、バイブレータ２４は、移動電子装置１００を、目標に対する移動電子装置１００の方位に向かって、最小の角距離だけ時計回りに回転させたことをユーザに通知するように、移動電子装置１００を時計回りに回転させると、徐々に振動が強くなるようにする。一方、バイブレータ２４は、反時計回りに移動電子装置１００を回転させると、徐々に振動が弱まるようにする。同様にして、バイブレータ２４は、移動電子装置１００を、目標に対する移動電子装置１００の方位に最小の角距離だけ反時計回りに回転させたことをユーザに通知するため、移動電子装置１００を反時計回りに回転させると、徐々に振動が大きくなるようにし、時計回りに移動電子装置１００を回転させると、徐々に振動が弱まるようにする構成されていてもよい。
【００４２】
また、他の実施形態では、現時点での移動電子装置１００の方位と目標に対する移動電子装置１００の方位との間における角度差を低減させるように、この移動電子装置１００を時計回りに回転させるか、または反時計回りに回転させるかについて、反復的な可聴方向指示信号および触覚方向指示信号の少なくとも１つをユーザに通知する構成であってもよい。そして、可聴方向指示信号および触覚方向指示信号のうちの少なくとも１つにおける変化により、現時点での移動電子装置１００の方位が目的とする装置の方位と一致した時点、すなわち、角度差がゼロ、もしくは略ゼロとなった時点をユーザに通知する。
【００４３】
また、そのような一実施形態では、可聴方向指示信号を、周波数スイープ信号とし、この周波数スイープ信号により、目標に対する移動電子装置１００の方位と一致するように時計回り、または反時計回りに移動電子装置１００を回転させるか否かユーザに通知する。スピーカ２１は、例えば、１０００−２０００Ｈｚ範囲において１０Ｈｚ間隔など、ある周波数範囲での固定間隔で音を出力することができる左右のスピーカそれぞれを備える。目標に対する移動電子装置１００の方位に最小の角距離だけ時計回りに回転させたことをユーザに通知するように、上記左のスピーカが、第１期間（例えば２秒間）の間に、周波数範囲で最も低い周波数（例えば１０００Ｈｚなど）から、中間範囲の周波数（例えば１５００Ｈｚなど）まで、全固定期間で連続する音を出力する。その後、即座に右スピーカが、第２期間（例えば２秒）の間に、次の中間範囲の周波数（例えば、１５１０Ｈｚ）から最も高い周波数（例えば２０００Ｈｚ）まで、全固定期間で連続する音を出力する。この音の連続の結果として、ユーザは、時計回りに移動電子装置１００を回転させていることを知らせる、左から右へのスイープノイズ（sweeping noise)を聞く。移動電子装置１００が回転され、該移動電子装置１００の方位が目標に対する移動電子装置１００の方位と一致すると、上記周波数スイープ信号は停止し、スピーカ２１は通常の音を出力する。また、移動電子装置１００を、目標に対する移動電子装置１００の方位に最小の角距離だけ反時計回りに回転させたことをユーザに通知する場合は、上記音の連続の順序および方向を反転させる。当然、上記周波数スイープ信号は、他の音の連続を利用して実現されるものであってもよい。例えば、スピーカ２１では、左右のスピーカにおいて、同時に同じ音の連続を出力するとともに、上記第１期間の間は左スピーカで大きな音を出力し、上記第２期間の間では右スピーカで大きな音を出力するようにコントロールする構成としてもよい。さらにまた、他の周波数および期間を利用する構成としてもよい。
【００４４】
また、他の実施形態では、可聴方向指示信号および触覚方向指示信号を連携させて利用する構成とすることもできる。例えば、上記目標に対する移動電子装置１００の方位へと回転させると、移動電子装置１００において、大きな音と強い振動とを同時に出力させる構成とする。
【００４５】
図４は、本発明の一実施形態に係る、移動電子装置１００のユーザに方向指示信号を通知するための方法を示すフロー図である。まず、移動電子装置１００は、目標とする位置情報を決定する（ステップＳ４１０）。すなわち、ユーザが、キーパッド２３によって、人気スポット名や所在地住所など目標とする場所情報を入力する。このように、キーパッド２３によって目標とする場所情報を受付けると、ナビゲーションクライアント部３２は、この目標とする場所情報を受信し、場所情報格納部３３においてこの目標とする場所情報を検索する。ここで、この場所情報格納部３３において目標とする場所情報に関するマッピングが存在する場合、ナビゲーションクライアント部３２は、このマッピングを用いて、目標とする場所情報を目標とする位置情報に変換させる。一方、この場所情報格納部３３において目標とする場所情報に関するマッピングが存在しない場合、ナビゲーションクライアント部３２は、目標とする場所情報を目標とする位置情報に変換するために、場所サーバ・データベース１６０を検索する。なお、ここで、目標とする位置情報として、目標とする場所情報を示す経度および緯度を含んでいる。
【００４６】
移動電子装置１００は、自装置の現時点での位置を、継続的に決定する（Ｓ４２０）。ＧＰＳ受信部３１は、ＧＰＳ衛星１５０から継続的に、自装置の現時点での位置を示す情報を受信しており、これらの位置を示す情報に基づき、移動電子装置１００の現時点での位置情報を算出する。なお、上記現時点での位置を示す情報は、現時点での移動電子装置１００の位置を示す経度と緯度を含む。また、ＧＰＳ受信部３１は、上記現時点での位置を示す情報を、ナビゲーションクライアント部３２に送信する。
【００４７】
移動電子装置１００は、継続的に、目標に対する移動電子装置１００の方位を決定する（Ｓ４３０）。すなわち、ナビゲーションクライアント部３２は、ＧＰＳ受信部３１から受信した上記現時点での位置を示す情報と、場所情報格納部３３または場所サーバ・データベース１６０を用いて変換した対象となる位置の情報とから、目標に対する移動電子装置１００の方位を継続的に決定する。この目標に対する移動電子装置１００の方位は、上記現時点での位置と、目標となる位置とを結んだ第１仮想線から、上記現時点での位置から真北に延ばした第２仮想線へ、時計回りに測定した水平方向の角距離として算出される。
【００４８】
次に、移動電子装置１００は、継続的に、現時点での移動電子装置１００の方位を決定する（Ｓ４４０）。すなわち、コンパス３４は、上記現時点での移動電子装置１００の方位を、この移動電子装置１００の縦軸方向に該移動電子装置１００の先端部から延ばした第１仮想線から、この移動電子装置１００の現時点での位置から真北に延ばした第２仮想線へ、時計回りに測定した水平方向の角距離として算出する。そして、コンパス３４は、現時点での移動電子装置１００の方位を示す情報をナビゲーションクライアント部３２に送信する。
【００４９】
次に、移動電子装置１００は、現時点での移動電子装置１００の方位と目標に対する移動電子装置１００の方位とに基づき、可聴方向指示信号および触覚方向指示信号のうちの少なくとも１つを、継続的に出力する（Ｓ４５０）。すなわち、ナビゲーションクライアント部３２は、上記コンパス３４から現時点での移動電子装置１００の方位を受信するとともに、現時点での移動電子装置１００の方位と目標に対する移動電子装置１００の方位との間における角度差を決定する。そして、ナビゲーションクライアント部３２は、この角度差に基づき、適切な可聴方向指示信号および触覚方向指示信号の少なくとも１つを、継続的に決定する。
【００５０】
いくつかの実施形態では、移動電子装置１００が、複数種類の方向指示信号を出力できるように対応しており、ユーザは、キーパッド２３での入力により、この種類の中の１つを実行させるように選択する構成としてもよい。
【００５１】
入出力（Ｉ／Ｏ）システム２０およびナビゲーションシステム３０は、カスタムロジック（custom logic）およびソフトウェアの様々な組み合わせを用いて実装されたものであってもよい。また、いくつかの実施形態では、ＧＰＳ受信部３１は、カスタム回路（custom circuitry)で実現され、ナビゲーションクライアント部３２は、プロセッサ１０によって実行されるソフトウェアアプリケーションで実現されてもよい。
【００５２】
また、本発明は、本発明の精神または本質的な特徴において、他の特定の形態により実施することができることは、当業者において認められることであろう。例えば、いくつかの実施形態では、ナビゲーションシステム３０は、移動電子装置１００の現時点での位置を決定するために、他のアプローチを用いてもよく、例えば、３つの携帯電話基地局（cellular towers)間における三角測量によるアプローチや、移動電子装置１００の現時点での位置を算出する遠隔サーバに、該移動電子装置１００が生のＧＰＳデータを送信するアプローチなどが挙げられる。本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５３】
なお、上記した本実施の形態に係る移動電子装置１００は、以下に示す構成を有するものとすることができる。
【００５４】
すなわち、本実施の形態に係る移動電子装置は、入出力システムと、ナビゲーションシステムと、これら入出力システムとナビゲーションシステムとを動作可能とするように接続されたプロセッサとを備え、上記プロセッサの制御の下、入出力システムが、上記ナビゲーションシステムを用いて決定した移動電子装置の位置確認情報に基づき選択した、可聴方向指示信号および触覚方向指示信号の少なくとも１つを出力するように構成されていてもよい。
【００５５】
また、本実施の形態に係る移動電子装置は、上記した構成において、上記ナビゲーションシステムは、上記位置確認情報の変化を、継続的に監視しており、上記入出力システムは、上記ナビゲーションシステムを用いて決定した、修正された上記位置確認情報に基づき選択された、修正された可聴方向指示信号および触覚方向指示信号の少なくとも１つを出力するように構成されていてもよい。
【００５６】
また、本実施の形態に係る移動電子装置は、上記した構成において、上記位置確認情報は、コンパスを使用して決定した当該移動電子装置の現時点での方位とＧＰＳシステムを使用して決定した、当該移動電子装置の目標に対する方位とを含むように構成されていてもよい。
【００５７】
また、本実施の形態に係る移動電子装置は、上記した構成において、上記移動電子装置の目標に対する方位は、上記入出力システムにて入力として受付けた、目標とする場所情報に基づき決定されるように構成されていてもよい。
【００５８】
また、本実施の形態に係る移動電子装置は、上記した構成において、上記目標とする場所情報を、目標とする位置情報に変換する一方、上記移動電子装置の目標に対する方位を、該目標とする位置情報に基づき決定するように構成されていてもよい。
【００５９】
また、本実施の形態に係る移動電子装置は、上記した構成において、上記目標とする場所情報は、この場所情報格納部を参照することにより、目標とする位置情報に変換されるように構成されていてもよい。
【００６０】
また、本実施の形態に係る移動電子装置は、上記した構成において、上記目標とする場所情報を、この遠隔場所情報サーバ・データ部ベースを参照することにより、目標とする位置情報に変換するように構成されていてもよい。
【００６１】
また、本実施の形態に係る移動電子装置は、上記した構成において、上記可聴方向指示信号は、音を含んでいてもよい。
【００６２】
また、本実施の形態に係る移動電子装置は、上記した構成において、上記可聴方向指示信号は、周波数スイープ信号を含んでいてもよい。
【００６３】
また、本実施の形態に係る移動電子装置は、上記した構成において、上記触覚方向指示信号は、振動を含んでいてもよい。
【００６４】
また、本実施の形態に係る移動電子装置は、上記した構成において、当該移動電子装置は、可聴方向指示信号および触覚方向指示信号を同時に出力するように構成されていてもよい。
【００６５】
また、上記した本実施の形態に係る移動電子装置１００の制御方法は、以下に示すステップを含むものとすることができる。
【００６６】
本発明に係る移動電子装置の制御方法は、以上のように、移動電子装置のユーザに、場所に対する方向を通知する方法であって、上記移動電子装置における入力として目標とする場所情報を受信するステップと、この目標とする場所情報に基づき、移動電子装置の目標に対する方位を決定するステップと、現時点での移動電子装置の位置確認情報に基づき、現時点での移動電子装置の方位を決定するステップと、上記移動電子装置の現時点での方位と目標に対する方位とに基づき、可聴方向指示信号を決定するステップと、上記移動電子装置から上記可聴方向指示信号を出力するステップとを含んでいてもよい。
【００６７】
また、本発明に係る移動電子装置の制御方法は、上記した方法において、上記移動電子装置の現時点での方位が、継続的に決定されるとともに、上記可聴方向指示信号が、この移動電子装置の現時点での方位における変化に応じて絶えず修正されてもよい。
【００６８】
また、本発明に係る移動電子装置の制御方法は、上記した方法において、上記移動電子装置の現時点での方位が、フラックスゲートコンパスを用いて決定されてもよい。
【００６９】
また、本発明に係る移動電子装置の制御方法は、上記した方法において、上記移動電子装置の目標に対する方位が、ＧＰＳシステムを用いて決定されてもよい。
【００７０】
また、本発明に係る移動電子装置の制御方法は、上記した方法において、上記可聴方向指示信号は、音を含んでもよい。
【００７１】
また、本発明に係る移動電子装置の制御方法は、上記した方法において、上記可聴方向指示信号は、周波数スイープ信号を含んでいてもよい。
【００７２】
本発明に係る移動電子装置の制御方法は、以上のように、移動電子装置のユーザに、場所に対する方向を通知する方法であって、上記移動電子装置における入力として目標とする場所情報を受信するステップと、この目標とする場所情報に基づき、移動電子装置の目標に対する方位を決定するステップと、現時点での移動電子装置の位置確認情報に基づき、現時点での移動電子装置の方位を決定するステップと、上記移動電子装置の現時点での方位と目標に対する方位とに基づき、触覚方向指示信号を決定するステップと、上記移動電子装置から上記触覚方向指示信号を出力するステップとを含んでもよい。
【００７３】
また、本発明に係る移動電子装置の制御方法は、上記した方法において、上記移動電子装置の現時点での方位が、継続的に決定されるとともに、上記触覚方向指示信号が、この移動電子装置の現時点での方位における変化に応じて絶えず修正されてもよい。
【００７４】
また、本発明に係る移動電子装置の制御方法は、上記した方法において、上記触覚方向指示信号は、振動を含んでもよい。
【００７５】
すなわち、上記した本実施の形態によると、移動電子装置の空間的位置付けに応じた可聴信号または触覚信号（tactile signals)の出力により、目的とする場所への方向を通知する移動電子装置、およびその方法を提供する。
【００７６】
本発明に係る一形態では、上記移動電子装置は、入出力システム、ナビゲーションシステム、およびこれら入出力システムおよびナビゲーションシステムを動作可能とするように接続されたプロセッサを備え、このプロセッサの制御の下、上記入出力システムが、上記ナビゲーションシステムを用いて決定した、移動電子装置の位置確認情報（orientation information)に基づき、選択した可聴方向指示信号および触覚方向指示信号のうちの少なくとも１つを出力する。上記ナビゲーションシステムは、上記位置確認情報の変化を、継続的に監視しており、上記プロセッサからの制御の下、上記ナビゲーションシステムは、上記位置確認情報の変化に基づき、可聴方向指示信号および触覚方向指示信号のうちの少なくとも１つを選択して修正する。さらにまた、上記プロセッサからの制御の下、上記入出力システムは、このナビゲーションシステムを用いて決定した上記位置確認情報の修正、すなわち変化後の位置確認情報に応じて修正した可聴方向指示信号および触覚方向指示信号のうちの少なくとも１つを出力する。
【００７７】
なお、上記移動電子装置の位置確認情報は、移動電子装置と目標との配置関係を規定する情報であり、より具体的には、コンパスを用いて決定した移動電子装置の現時点での方位と、ＧＰＳシステムを用いて決定した移動電子装置の目標に対する方位とが含まれる。この移動電子装置の目標に対する方位は、入出力システムにより受付けた、入力された目標とする場所の情報を用いて決定される。上記可聴方向指示信号には、音（tone)および周波数スイープ信号（a frequency sweep）のうちの少なくとも１つが含まれる。上記触覚方向指示信号には振動が含まれる。
【００７８】
また、本発明に係る別の形態では、場所に対する方向を移動電子装置のユーザに通知する方法において、入力として、目標とする場所の情報を受付けるステップと、この目標とする場所の情報に基づき、移動電子装置の目標に対する方位を決定するステップと、現時点での移動電子装置の位置確認情報に基づき、現時点での移動電子装置の方位を決定するステップと、移動電子装置の現時点での方位と、移動電子装置の目標に対する方位とに基づき、可聴方向指示信号および触覚方向指示信号のうちの少なくとも１つを選択するステップと、選択した信号を移動電子装置から出力するステップとを含んでいる。
【産業上の利用可能性】
【００７９】
本発明の移動電子装置は、高解像度の表示装置、および大容量のメモリを備える必要がなく、目標までの方向を通知することができるため、ユーザに携行されるため小型化が求められる装置全般に適用できる。
【図面の簡単な説明】
【００８０】
【図１】本発明の実施形態を示すものであり、現時点での移動電子装置と目標とする装置との方位から、可聴方向指示信号または触覚方向指示信号を選択するために用いられる角度差がどのくらいであるか算出されることを示す図である。
【図２】本発明の一実施形態に係る移動電子装置の要部構成を示すブロック図である。
【図３】本発明の一実施形態において、目標とする装置の方位となるように回転軸を中心に移動電子装置がどの様に回転するかを示す図である。
【図４】本発明の一実施形態において、方向指示信号を移動電子装置のユーザに通知するための方法を示すフローチャートである。
【符号の説明】
【００８１】
１０  プロセッサ
２０  入出力システム
２１  スピーカ
２３  キーパッド
２４  バイブレータ
３０  ナビゲーションシステム
３１  ＧＰＳ受信部
３２  ナビゲーションクライアント部
３３  場所情報格納部
３４  コンパス
１００  移動電子装置
１５０  ＧＰＳ衛星
１６０  場所サーバ・データベース
３００  目標とする位置
【図１】
2008145418.tif 000003
【図２】
2008145418.tif 000004
【図３】
2008145418.tif 000005
【図４】
2008145418.tif 000006